(57)【要約】【課題】リアルタイムでの認証及び認可の対応を可能とすることができるとともに、短時間で大人数の認可処理を行うことができる電子認証システムを提供する。【解決手段】電子チケット画像を表示画面に表示する携帯端末と、通知信号を発信するとともに携帯端末から電子チケット情報を受信する一つ以上のアクセス装置と、電子チケット情報及びアクセス識別情報を記憶部に記憶した管理端末と、を備え、携帯端末は、通知信号を受信したことを契機として電子チケット画像を表示画面に表示するとともに、電子チケット情報をアクセス装置に向けて送信し、アクセス装置は、アクセス識別情報で関連付けした携帯端末から受信した電子チケット情報と管理端末の記憶部に記憶した電子チケット情報とが適正である場合に、表示画面に表示している電子チケット画像を電子チケット情報の送信前の表示状態とは異なるように変化させるための認可信号を携帯端末に向けて発信する。【選択図】図３
2017027249.tif 000002
【特許請求の範囲】
【請求項１】
購入済の電子チケット情報に基づく電子チケット画像を表示画面に表示するためのアプリケーションをインストールした携帯端末と、
前記携帯端末に向けて通知信号を発信するとともに前記携帯端末から前記電子チケット情報を受信する送受信部を有する一つ以上のアクセス装置と、
前記電子チケット情報及び前記一つ以上のアクセス装置にアクセスした携帯端末とを関連付けたアクセス識別情報を記憶部に記憶した管理端末と、
を備え、
前記携帯端末は、
前記通知信号を受信したことを契機として、前記アプリケーションを起動させて前記電子チケット画像を前記表示画面に表示するとともに、前記電子チケット情報を前記アクセス装置に向けて送信し、
前記アクセス装置は、
前記アクセス識別情報で関連付けした携帯端末から受信した電子チケット情報と前記記憶部に記憶した電子チケット情報とが適正である場合に、前記表示画面に表示している前記電子チケット画像を前記電子チケット情報の送信前の表示状態とは異なるように変化させるための認可信号を前記携帯端末に向けて発信する
電子認証システム。
【請求項２】
前記一つ以上のアクセス装置は、
前記アクセス装置ごとに異なるアクセス識別情報を有し、前記管理端末と前記アクセス識別情報及び前記携帯端末から受信したチケット情報の送受信を行う中継機と、
前記携帯端末に向けて前記通知信号を発信する発信端末と、
を備える請求項１に記載の電子認証システム。
【請求項３】
前記アクセス装置は、
前記携帯端末から前記電子チケット情報を受信したときに、前記管理端末に向けて前記電子チケット情報を含む前記アクセス識別情報を送信し、
前記管理端末は、
前記アクセス装置からの前記アクセス識別情報を受信して前記アクセス装置を特定するとともに、前記携帯端末からの前記電子チケット情報を前記アクセス装置から受信して前記記憶部に記憶した前記電子チケット情報とが整合しているかの適正判断を行い、前記携帯端末からの前記電子チケット情報が適正であると判断したときに前記アクセス装置に向けて認可信号を送信する判断部を備える
請求項１又は請求項２に記載の電子認証システム。
【請求項４】
前記管理端末及び前記アクセス装置の少なくとも何れか一方は、
前記電子チケット情報に含まれるユーザ識別情報を用いてユーザを識別する識別部と、
前記携帯端末が前記通知信号を受信できなかったときに、前記識別部によるユーザの識別を実行させかつその識別結果を出力する出力部と、
を備える請求項１乃至請求項３の何れか１の請求項に記載の電子認証システム。
【請求項５】
前記携帯端末は、
前記管理端末及び前記アクセス装置の少なくとも何れか一方と、前記携帯端末を識別してから識別結果を出力するまでの期間、至近距離通信によってペアリング状態にある
請求項４に記載の電子認証システム。
【請求項６】
前記管理端末は、
前記電子チケット情報ごとの入場及び退場の有無とその回数とを前記記憶部に記憶させ、
前記判断部は、
前記記憶部に記憶した入場及び退場の有無とその回数に基づいて、再入場か不正入場かの適正を同時に判断する
請求項１乃至請求項５の何れか１の請求項に記載の電子認証システム。
【請求項７】
前記管理端末は、
電気通信回線を通じて前記電子チケット情報をチケット販売管理サーバから受信し、
前記携帯端末からの前記電子チケット情報を取得した後に、前記判断部による判断とは独立した適宜タイミングにより電気通信回線を通じて前記チケット販売管理サーバに入場情報を送信する
請求項１乃至請求項６の何れか１の請求項に記載の電子認証システム。
【請求項８】
購入済の電子チケット情報に基づく電子チケット画像を表示画面に表示するためのアプリケーションをインストールした携帯端末と、
前記携帯端末に向けて通知信号を発信するとともに前記携帯端末から前記電子チケット情報を受信する送受信部を有する一つ以上のアクセス装置と、
前記電子チケット情報及び前記一つ以上のアクセス装置ごとのアクセス識別情報を記憶部に記憶した管理端末と、
を用い、
前記携帯端末により、前記通知信号を受信したことを契機として、前記アプリケーションを起動させて前記電子チケット情報を表示画面に表示するとともに、前記電子チケット情報を前記アクセス装置に向けて送信するユーザ側電子チケット情報発信工程と、
前記アクセス装置により、前記携帯端末から受信した前記電子チケット情報と前記アクセス識別情報とを前記管理端末に向けて送信するアクセス装置側電子チケット情報送信工程と、
前記管理端末の判断部により、前記アクセス装置から受信した前記電子チケット情報と前記記憶部に記憶した前記電子チケット情報とが整合しているかの適正を判断する判断工程と、
前記管理端末により、前記アクセス識別情報で関連付けした前記携帯端末から受信した前記電子チケット情報と前記管理端末の前記記憶部に記憶した前記電子チケット情報とが適正であると前記判断部で判断した場合に、前記アクセス識別情報と一致する前記アクセス装置に向けて前記表示画面に表示している前記電子チケット画像が前記電子チケット情報の送信前の表示状態とは異なるように変化させるための認可信号を送信する認可信号送信工程と、
前記アクセス装置により、前記アクセス識別情報で関連付けした前記携帯端末に向けて前記認可信号を発信する認可信号発信工程と、
を備える電子認証方法。
【請求項９】
購入済の電子チケット情報に基づく電子チケット画像を表示画面に表示するためのアプリケーションをインストールした携帯端末と、
前記携帯端末に向けて通知信号を発信するとともに前記携帯端末から前記電子チケット情報を受信する送受信部を有する一つ以上のアクセス装置と、
前記電子チケット情報及び前記一つ以上のアクセス装置ごとのアクセス識別情報を記憶部に記憶した管理端末と、
を用い、
前記携帯端末により、前記通知信号を受信したことを契機として、前記アプリケーションを起動させて前記電子チケット情報を表示画面に表示するとともに、前記電子チケット情報を前記アクセス装置に向けて送信するユーザ側電子チケット情報発信機能と、
前記アクセス装置により、前記携帯端末から受信した前記電子チケット情報と前記アクセス識別情報とを前記管理端末に向けて送信するアクセス装置側電子チケット情報送信機能と、
前記管理端末の判断部により、前記アクセス識別情報で関連付けした前記アクセス装置から受信した前記電子チケット情報と前記記憶部に記憶した前記電子チケット情報とが整合しているかの適正を判断する判断機能と、
前記管理端末により、前記携帯端末から受信した前記電子チケット情報と前記管理端末の前記記憶部に記憶した前記電子チケット情報とが適正であると前記判断部で判断した場合に、前記アクセス識別情報と一致する前記アクセス装置に向けて前記表示画面に表示している前記電子チケット画像が前記電子チケット情報の送信前の表示状態とは異なるように変化させるための認可信号を送信する認可信号送信機能と、
前記アクセス装置により、前記アクセス識別情報で関連付けした前記携帯端末に向けて前記認可信号を発信する認可信号発信機能と、
を実現させる電子認証プログラム。
【発明の詳細な説明】
【技術分野】
【０００１】
本発明は、電子認証システム及び電子認証方法並びに電子認証プログラムであって、特に、電気通信回線を通じてユーザが購入した電子チケットに対する電子認証システム及び電子認証方法並びに電子認証プログラムに関する。
【背景技術】
【０００２】
従来から、購入希望者（以下、「ユーザ」と称する）が、インターネット回線を通じてチケット販売業者やイベント主催者のサーバにアクセスし、所望のイベント用のチケットを購入するチケット販売方法が周知である。
【０００３】
また、このようなチケットには、例えば、スマートフォン等の携帯端末に電子化した電子チケットとして利用可能としたものも知られている（例えば、特許文献１参照）。
【０００４】
購入した電子チケットは、ユーザが所有する携帯端末のメモリに電子チケット情報として記憶し、イベント入場時などの必要に応じて表示画面に電子チケット画像として表示させる。これにより、イベント会場の入場口等の係員に電子チケット画像を提示することができる。
【０００５】
ユーザは、係員の目視によって電子チケット画像を認識及び認可した後に、携帯端末の表示画面をスライドタッチ操作することによって、チケットの半券に対する電子もぎり処理を行う。電子もぎり処理とは、例えば、見掛け上でチケットの半券をもぎり取るように画像を変換したり、切れ目を入れるなどのように、元の表示状態とは異なるように変化させることを意味する。また、電子もぎり処理を行った旨の情報は、インターネット回線を通じてサーバに送信する。
【先行技術文献】
【特許文献】
【０００６】
【特許文献１】特開２０１４−１４９５５６号公報
【発明の概要】
【発明が解決しようとする課題】
【０００７】
しかしながら、上述したシステムにおいては、電子チケット購入者であるユーザ自身が携帯端末をスライドタッチ操作することによって電子もぎり処理を行うため、コンサート等の大規模かつ単発のイベントに対して、認証及び認可の対応が困難であった。また、ユーザ自身が電子もぎり処理の操作を行うシステムでは、携帯端末の画面に電子チケットを表示する操作時間や電子もぎり操作に時間を要することから、短時間で大人数の電子もぎり処理を行うことができなかった。
【０００８】
そこで、本発明は、リアルタイムでの認証及び認可の対応を可能とすることができるとともに、短時間で大人数の認可処理を行うことができる電子認証システム、電子認証方法及び電子認証プログラムを提供することを目的とする。
【課題を解決するための手段】
【０００９】
上記課題を解決するため、本発明に係る電子認証システムは、購入済の電子チケット情報に基づく電子チケット画像を表示画面に表示するためのアプリケーションをインストールした携帯端末と、携帯端末に向けて通知信号を発信するとともに携帯端末から電子チケット情報を受信する送受信部を有する一つ以上のアクセス装置と、電子チケット情報及び一つ以上のアクセス装置にアクセスした携帯端末とを関連付けたアクセス識別情報を記憶部に記憶した管理端末と、を備え、携帯端末は、通知信号を受信したことを契機として、アプリケーションを起動させて電子チケット画像を表示画面に表示するとともに、電子チケット情報をアクセス装置に向けて送信し、アクセス装置は、アクセス識別情報で関連付けした携帯端末から受信した電子チケット情報と管理端末の記憶部に記憶した電子チケット情報とが適正である場合に、表示画面に表示している電子チケット画像が電子チケット情報の送信前の表示状態とは異なるように変化させるための認可信号を携帯端末に向けて発信するものである。
【００１０】
一つ以上のアクセス装置は、アクセス装置ごとに異なるアクセス識別情報を有し、管理端末とアクセス識別情報及び携帯端末から受信したチケット情報の送受信を行う中継機と、携帯端末に向けて通知信号を発信する発信端末と、を備えるものである。
【００１１】
アクセス装置は、携帯端末から電子チケット情報を受信したときに、管理端末に向けて電子チケット情報を含むアクセス識別情報を送信し、管理端末は、アクセス装置からのアクセス識別情報を受信してアクセス装置を特定するとともに、携帯端末からの電子チケット情報をアクセス装置から受信して記憶部に記憶した電子チケット情報とが整合しているかの適正判断を行い、携帯端末からの電子チケット情報が適正であると判断したときにアクセス装置に向けて認可信号を送信する判断部を備えるものである。
【００１２】
管理端末及びアクセス装置の少なくとも何れか一方は、電子チケット情報に含まれるユーザ識別情報を用いてユーザを識別する識別部と、携帯端末が通知信号を受信できなかったときに、識別部によるユーザの識別を実行させかつその識別結果を出力する出力部と、を備えるものである。
【００１３】
携帯端末は、管理端末及びアクセス装置の少なくとも何れか一方と、携帯端末を識別してから識別結果を出力するまでの期間、至近距離通信によってペアリング状態にあるものである。
【００１４】
管理端末は、電子チケット情報ごとの入場及び退場の有無とその回数とを記憶部に記憶させ、判断部は、記憶部に記憶した入場及び退場の有無とその回数に基づいて、再入場か不正入場かの適正を同時に判断するものである。
【００１５】
管理端末は、電気通信回線を通じて電子チケット情報をチケット販売管理サーバから受信し、携帯端末からの電子チケット情報を取得した後に、判断部による判断とは独立した適宜タイミングにより電気通信回線を通じてチケット販売管理サーバに入場情報を送信するものである。
【００１６】
また、本発明に係る電子認証方法は、購入済の電子チケット情報に基づく電子チケット画像を表示画面に表示するためのアプリケーションをインストールした携帯端末と、携帯端末に向けて通知信号を発信するとともに携帯端末から電子チケット情報を受信する送受信部を有する一つ以上のアクセス装置と、電子チケット情報及び一つ以上のアクセス装置ごとのアクセス識別情報を記憶部に記憶した管理端末と、を用い、携帯端末により、通知信号を受信したことを契機として、アプリケーションを起動させて電子チケット情報を表示画面に表示するとともに、電子チケット情報をアクセス装置に向けて送信するユーザ側電子チケット情報発信工程と、アクセス装置により、アクセス識別情報で関連付けした携帯端末から受信した電子チケット情報とアクセス識別情報とを管理端末に向けて送信するアクセス装置側電子チケット情報送信工程と、管理端末の判断部により、アクセス装置から受信した電子チケット情報と記憶部に記憶した電子チケット情報とが整合しているかの適正を判断する判断工程と、管理端末により、携帯端末から受信した電子チケット情報と管理端末の記憶部に記憶した電子チケット情報とが適正であると判断部で判断した場合に、アクセス識別情報と一致するアクセス装置に向けて表示画面に表示している電子チケット画像が電子チケット情報の送信前の表示状態とは異なるように変化させるための認可信号を送信する認可信号送信工程と、アクセス装置により、アクセス識別情報で関連付けした携帯端末に向けて認可信号を発信する認可信号発信工程と、備えるものである。
【００１７】
また、本発明に係る電子認証プログラムは、購入済の電子チケット情報に基づく電子チケット画像を表示画面に表示するためのアプリケーションをインストールした携帯端末と、携帯端末に向けて通知信号を発信するとともに携帯端末から電子チケット情報を受信する送受信部を有する一つ以上のアクセス装置と、電子チケット情報及び一つ以上のアクセス装置ごとのアクセス識別情報を記憶部に記憶した管理端末と、を用い、携帯端末により、通知信号を受信したことを契機として、アプリケーションを起動させて電子チケット情報を表示画面に表示するとともに、電子チケット情報をアクセス装置に向けて送信するユーザ側電子チケット情報発信機能と、アクセス装置により、アクセス識別情報で関連付けした携帯端末から受信した電子チケット情報とアクセス識別情報とを管理端末に向けて送信するアクセス装置側電子チケット情報送信機能と、管理端末の判断部により、アクセス装置から受信した電子チケット情報と記憶部に記憶した電子チケット情報とが整合しているかの適正を判断する判断機能と、管理端末により、携帯端末から受信した電子チケット情報と管理端末の記憶部に記憶した電子チケット情報とが適正であると判断部で判断した場合に、アクセス識別情報と一致するアクセス装置に向けて表示画面に表示している電子チケット画像が電子チケット情報の送信前の表示状態とは異なるように変化させるための認可信号を送信する認可信号送信機能と、アクセス装置により、アクセス識別情報で関連付けした携帯端末に向けて表示画面に表示している電子チケット画像が電子チケット情報の送信前の表示状態とは異なるように変化させるための認可信号を発信する認可信号発信機能と、を実現させるものである。
【発明の効果】
【００１８】
本発明に係る電子認証システム、電子認証方法及び電子認証プログラムによれば、リアルタイムでの認証及び認可の対応を可能とすることができるとともに、短時間で大人数の認可処理を行うことができる。
【図面の簡単な説明】
【００１９】
【図１】本実施の一実施形態に係る電子認証システムの概要図である。
【図２】本実施の形態に係る電子認証システムにおけるアクセス装置と管理端末との関係を示す説明図である。
【図３】本実施の形態に係る電子認証システムにおける電子もぎり処理ルーチンの一例を示すシステム処理図である。
【図４】本実施の形態に係る電子認証システムにおける各コンピュータが処理するルーチンの一例を示すフロー図である。
【図５】本実施の形態に係る電子認証システムにおける携帯端末上の認証要求から電子もぎり処理に至る画面表示状態の遷移を示す説明図である。
【図６】本実施の一実施形態に係る電子認証システムを示し、中継機を管理端末で兼用した場合の概念図である。
【発明を実施するための形態】
【００２０】
図１に示すように、本実施の形態に係る電子認証システム１は、予めユーザ情報を含む電子チケット情報と各アクセス装置１０に対応したアクセス識別情報を記憶部に記憶した管理端末２と、管理端末２と有線によりアクセス識別情報の送受信を行う中継機１２及び通知信号を発信する発信端末１１を備えた一つ以上のアクセス装置１０と、通知信号を受信して認識するとともに購入済の電子チケット情報を電子媒体化した電子チケット画像として表示画面２１に表示するためのアプリケーションをインストールした携帯端末２０と、を備える。なお、管理端末２、中継機１２、携帯端末２０がそれぞれ有する制御装置（ＣＰＵ）及びメモリ等は、特許請求の範囲のコンピュータを構成する。
【００２１】
管理端末２は、汎用のノートパソコン等からなり、本発明に関わるプログラムをインストールしている。管理端末２は、例えば、チケット販売管理サーバ３から電子チケットの購入者（ユーザ）が電子チケットを購入した際に取得したユーザ情報（メールアドレスや電子署名等）やイベント情報等を電子チケット情報としてデータベース化して取得している。
【００２２】
なお、管理端末２は、例えば、マトリックス型二次元コードを読み取るカメラ機能や、非接触式ＩＣカードのカード情報を読み取るカード読取機能、といった携帯端末２０に記憶した個体識別情報を取得するための至近距離通信機能を具備している。この際、管理端末２は、携帯端末２０とＢｌｕｅｔｏｏｔｈ（登録商標）やＷｉ−Ｆｉ（登録商標）を通じたデータ通信設定を簡単に行う直接通信機能を具備している。これにより、管理端末２と携帯端末２０とは、直接通信機能により、携帯端末２０が通知信号を受信できなかったときに、管理端末２を識別部として携帯端末２０からの個体識別情報に基づいて識別を実行し、かつ、その識別結果が適正（正当性）であると判断した場合に、その識別結果を携帯端末２０に出力する出力部として機能する。
【００２３】
ここで、ユーザによる携帯端末２０を用いた電子チケット購入の一例を説明する。チケット販売管理サーバ３は、インターネット通信回線を通じてチケット販売のためのホームページ（以下、単に「ＨＰ」と称する）を公開している。ユーザは、そのＨＰにアクセスし、所望のイベント等の電子チケットを購入する。
【００２４】
そして、ユーザは、電子チケットの代金を支払うと、チケット販売管理サーバ３から購入したイベントに対応した電子チケット情報を取得する。電子チケット情報には、表示画面２１に電子チケット画像を表示するための表示情報や、電子チケットの購入者であることを示すユーザ情報、表示画面２１に電子チケット画像に代わるマトリックス型二次元コードを表示するコード情報、等が含まれる。
【００２５】
この際、電子チケット情報には、ユーザそのものの識別情報として、Ｅ−Ｍａｉｌアドレスや電子署名を付帯情報として付与することができる。これにより、電子チケット情報の不正なコピー（偽造）等を抑制することも可能となる。
【００２６】
携帯端末２０は、例えば、スマートフォン（タブレット端末等を含む）やウエアラブル腕時計などのインターネット回線方式、Ｂｌｕｅｔｏｏｔｈ（登録商標）  Ｌｏｗ  Ｅｎｅｒｇｙ（以下、単に「ＢＬＥ」と称する）方式、Ｗｉ−Ｆｉ（登録商標）方式、の通信が可能となっている。なお、携帯端末２０は、ＢＬＥ方式の通信ができない機種に関しては、マトリックス型二次元コードの表示や非接触ＩＣカード機能を用いた「かざし」による至近距離通信を可能とし、かつ、Ｂｌｕｅｔｏｏｔｈ（登録商標）又はＷｉ−Ｆｉ（登録商標）を通じたデータ通信を可能としていれば、管理端末２との直接通信(ペアリング）により後述する認証及び認可を行うことができる。
【００２７】
携帯端末２０及び管理端末２は、本実施の形態に係る電子認識処理のためのプログラム（アプリケーション、以下、単に「アプリ」と称する）を、チケット販売管理サーバ３、又は、チケット販売管理サーバ３とは別のクラウド上のプラットホームから予め取得可能となっている。
【００２８】
したがって、管理端末２は、チケット販売管理サーバ３から、データベース化した電子チケット情報を受信する。管理端末２は、受信した電子チケット情報を、内蔵のハードディスクドライブ（以下、単に「ＨＤＤ」と称する）や外付けＨＤＤ或は着脱可能なカードメモリ等を記憶部として、データベース化して記憶する。また、管理端末２は、アクセス装置１０に関するアクセス識別情報を記憶部に記憶している。これにより、管理端末２は、一つの管理端末２に複数のアクセス装置１０を接続した場合に、アクセス識別情報に基づいてどのアクセス装置１０が送信した情報であるのかを特定する。
【００２９】
なお、アクセス識別情報とは、アクセス装置１０の識別情報の他、設置位置情報や時間情報等を含むことができる。これにより、大規模なイベント会場において、一つの管理端末２に対して多数のアクセス装置１０を有線接続することができる。また、管理端末２は、イベント会場にて当日の入退場等に関する更新情報をチケット販売管理サーバ３に送信することができる。
【００３０】
アクセス装置１０は、携帯端末２０との間で所定の至近距離でＢＬＥ方式により相互通信可能なビーコンモジュールからなる発信端末１１と、図２に示すように、発信端末１１との間で相互通信可能となるようにＵＳＢケーブル等の有線１３で接続したマイクロサーバからなる中継機１２と、を備える。
【００３１】
なお、アクセス装置１０は、例えば、イベント会場の入退場口のみならず、管理端末２と有線１４により接続可能範囲で複数個所に設置可能である。この際、アクセス装置１０は、その設置場所によって通知信号の発信距離を変えることができる。このため、アクセス装置１０は、本実施の形態に係る機能に対して、例えば、入退場口に接近しているから携帯端末２０の準備を促すようにアプリを起動させる契機として、電子チケット情報に含まれる座席番号情報に基づいてユーザを客席にまで案内するようにアプリを起動させる契機として、利用することができる。
【００３２】
発信端末１１は、通知信号を常時発信している。この際、発信端末１１は、例えば、２０ｃｍ程度の至近距離を限界として通知信号をＢＬＥ発信している。したがって、ユーザは、携帯端末２０を発信端末１１に「かざす」ことによって通知信号を契機として受信することができる。
【００３３】
中継機１２は、発信端末１１と管理端末２との間の中継及びプロトコル変換を行う。例えば、中継機１２は、発信端末１１とＵＳＢケーブル等の有線１３でシリアル通信を行い、管理端末２と有線１４でネットワーク通信を行う。中継機１２と管理端末２との間は、例えば、ＨＴＴＰ方式による電文変換を行って管理端末２に受信した電子チケット情報とアクセス識別情報とを送信する。管理端末２からの電子チケット情報、アクセス識別情報、認可信号等の送信信号は、発信端末１１にシリアル通信に変換して送信する。
【００３４】
次に、本実施の形態に係る電子もぎりのルーチンを図３および図４を参照しつつ説明する。
【００３５】
まず、発信端末１１は、常時通知信号を発信している（ステップＳ１）。このため、携帯端末２０は、発信端末１１の通信可能距離、例えば、イベント会場の入口において携帯端末２０を発信端末１１に「かざす」ことにより、通知信号を受信する（ステップＳ２）。
【００３６】
携帯端末２０は、通知信号を受信し、電子チケット情報に関するアプリを起動させるための通知信号である旨を認識したことを契機として、アプリを起動するとともに、図５に示すように、表示画面２１にアプリ起動画面を表示しつつ、発信端末１１にコネクト信号を送信する（ステップＳ３）。
【００３７】
また、携帯端末２０は、アプリの起動が完了すると、表示画面２１に電子チケット情報に基づく電子チケット画像を表示するとともに、発信端末１１に電子チケット情報をＢＬＥ送信する（ステップＳ４）。なお、このステップＳ４が特許請求の範囲のユーザ側電子チケット情報発信工程及びユーザ側電子チケット情報発信機能に相当する。
【００３８】
なお、携帯端末２０は、通知信号を受信してから電子チケット情報を送信するまでの期間Ｔ１は、例えば、受信完了の応答信号であるＡＣＫを持たずにパケット送信処理を実行することによって処理時間の短縮化を図り、アプリの起動時間を含めて約１秒間で行う。
【００３９】
また、携帯端末２０は、発信端末１１がコネクト信号を受信することにより、発信端末１１とでペアリングを確立する（ステップＳ５）。これにより、発信端末１１は、他の携帯端末２０との通信状態ができないようになっている。また、発信端末１１は、コネクト信号を受信するとともに、電子チケット情報を受信する。
【００４０】
アクセス装置１０は、発信端末１１により電子チケット情報を中継機１２に送信し、中継機１２によりアクセス識別情報を含む電子チケット情報を管理端末２に送信する（ステップＳ６）。この際、アクセス装置１０を複数設置している場合には、どのアクセス装置１０で受信した電子チケット情報であるかを管理端末２で判断する必要がある。このため、中継機１２は、アクセス識別情報のうち、少なくとも識別情報若しくは位置情報を重畳して送信する。中継機１２から管理端末２に送信するデータフォーマットは、アクセス識別情報（例えば、Ｔａｒｇｅｔ  Ｉｄｅｎｔｉｆｉｅｒ（ＴＩＤ））と電子チケット情報とを暗号化したＨＴＴＰフォーマット形式で送信する（例えば、HTTP://IP-ADD/TID/暗号化した電子チケット情報）。なお、このステップＳ６が、特許請求の範囲のアクセス装置側電子チケット情報送信工程及びアクセス装置側電子チケット情報送信機能に相当する。
【００４１】
管理端末２は、アクセス識別情報を含む電子チケット情報を受信すると（ステップＳ７）、その電子チケット情報とデータベース化した電子チケット情報とが整合しているかの適正を判断する（ステップＳ８）。なお、このステップＳ８が、特許請求の範囲の判断工程及び判断機能に相当する。
【００４２】
そして、管理端末２は、適正であると判断した場合には、データベースのステータスを更新するとともに、チケット画像の表示状態を変化させるための認可信号を中継機１２に送信する（ステップＳ９）。また、管理端末２は、同一のチケット情報を使用した場合のように判断結果が認可済みであると判断した場合には、不認可信号を送信する。なお、このステップＳ９が、特許請求の範囲の認可信号送信工程及び認可信号送信機能に相当する。
【００４３】
アクセス装置１０は、中継機１２により受信した認可信号（又は不認可信号）を発信端末１１に送信する。また、発信端末１１により、受信した認可信号（又は不認可信号）に加え、クローズ信号を携帯端末２０に発信する(ステップＳ１０）。なお、このステップＳ１０が、特許請求の範囲の認可信号発信工程及び認可信号発信機能に相当する。
【００４４】
この際、発信端末１１が電子チケット情報を携帯端末２０から受信して認可信号（又は不認可信号）を携帯端末２０に送信するまでの期間Ｔ２は、約１秒間である。
【００４５】
携帯端末２０は、クローズ信号を受信すると、発信端末１１とのペアリングを終了するとともに、表示画面２１に表示した電子チケット画像が変化するように電子もぎり処理を実行する（ステップＳ１１）。また、携帯端末２０がクローズ信号を受信すると、アクセス装置１０のとペアリングが解除される。これにより、アクセス端末１０は、他の携帯端末２０との次のペアリングが可能となる。
【００４６】
したがって、アクセス装置１０を、これら期間Ｔ１，Ｔ２を考慮した入口付近等に適宜配置すれば、ユーザは携帯端末２０を単に「かざす」だけの簡単操作で良いことと相まって、リアルタイムで迅速な電子もぎり処理を実現することができる。また、ユーザや入場口等の係員は、電子もぎり処理を実行するための手作業として、ユーザによる「かざす」行為以外を不要とし、単に表示画面２１を目視により確認するだけでよく、入場作業を軽減することができ、管理端末２とアクセス装置１０との最小限の設備以外の設備を不要とすることができる。
【００４７】
本実施の形態における電子もぎり処理とは、具体的には、携帯端末２０は、再入場ができないようなイベント等の場合には、イベント会場等を表示している部分を半券として消去する。また、携帯端末２０は、再入場ができるようなイベントの場合には、イベント会場等を表示している部分とその他の画像部分とに間に切れ込み等を表示する。なお、携帯端末２０は、電子チケット情報を送信してから認可信号を受信するまでの間、認証を行っている旨を提示するための画像を表示画面２１に表示してもよい。また、携帯端末２０は、アプリの機能若しくはステータス情報に含まれる音声情報等を利用して、ステータス結果の報知や、電子もぎり処理の実行報知のための、音声を出力してもよい。
【００４８】
また、管理端末２は、イベント会場への再入場を許可している場合、中継機１２から受信した電子チケット情報ごとの入場及び退場の有無とその回数とを記憶部に記憶する。これにより、管理端末２は、記憶部に記憶した入場及び退場の有無とその回数に基づいて、退場後の再入場か不正入場かの適正を同時に判断することができる。
【００４９】
例えば、管理端末２は、ステータスの更新により、退場がないにもかかわらず、２回目の入場であると判断した場合には、電子チケット情報を他の携帯端末２０に不正にコピーしたものを使用した不正入場であると判断し、不適信号を中継機１２に送信する。中継機１２は、発信端末１１に対して、例えば、「済」や「終了」等の不認可信号を携帯端末２０に送信する。
【００５０】
また、管理端末２は、携帯端末２０の機種等によってＢＬＥ通信機能を具備していない場合には、例えば、紙チケット或は携帯端末２０の表示画面に表示したマトリックス型二次元コードを用いて入場を許可することができる。また、携帯端末２０に内蔵している非接触式ＩＣカードのカード情報を読み取った携帯端末２０の個体識別情報を用いて入場を許可することができる。これにより、管理端末２は、携帯端末２０の機種やスペック等にかかわりなく、何れの場合であっても携帯端末２０を「かざす」という同一の行為のみで入場を許可することができ、汎用性を向上することができる。
【００５１】
この際、管理端末２は、携帯端末２０がアクセス識別情報を受信できなかったときに、少なくとも、携帯端末２０からマトリックス型二次元コードの読み取りや、携帯端末２０の非接触式ＩＣカードのカード情報を読み取って携帯端末２０の個体識別情報を取得してから、認可信号を携帯端末２０に発信するまでの期間は、至近距離通信によってアクセス装置１０とペアリング状態とすることができる。したがって、無線通信回線の利用は、携帯端末２０を「かざす」範囲での至近距離でよく、その他の通信回線には有線１３,１４を利用しているため、ローカル環境下での電子チケット情報の管理を可能とし得て、無線通信環境の混線や断線による不具合が発生しない。
【００５２】
以上、本発明の実施の形態を説明したが、上記に記載した実施の形態は特許請求の範囲に係る発明を限定するものではない。また、実施の形態の中で説明した特徴の組み合せのすべてが発明の課題を解決するための手段に必須であるとは限らない点に留意すべきである。さらに、上記した実施形態の技術的要素は、単独で適用されてもよいし、プログラム部品とハードウェア部品とのような複数の部分に分割されて適用されるようにすることもできる。
【００５３】
また、アクセス装置１０は、例えば、マトリックス型二次元コードを読み取るカメラ（図示せず）や、携帯端末２０の非接触式ＩＣカードのカード情報を読み取るカード読取機（図示せず）といった携帯端末２０の個体識別情報を取得するための至近距離通信機能を具備させてもよい。この際、アクセス装置１０は、携帯端末２０とＢｌｕｅｔｏｏｔｈ（登録商標）やＷｉ−Ｆｉ（登録商標）を通じたデータ通信設定を簡単に行う直接通信機能を具備する。なお、アクセス装置１０に、スピーカやモニタを接続してもよい。
【００５４】
これにより、アクセス装置１０は、携帯端末２０がアクセス識別情報を受信できなかったときに、少なくとも、携帯端末２０からマトリックス型二次元コードの読み取りや、携帯端末２０の非接触式ＩＣカードのカード情報を読み取って携帯端末２０の個体識別情報を取得してから、認可信号を発信するまでの期間は、至近距離通信によってアクセス装置１０とペアリング状態とすることができる。
【００５５】
また、電子もぎり処理には、上述したように、半券をもぎり取った電子チケット画像や切れ目画像を追加した電子チケット画像を表示画面２１に表示することで元の電子チケット画像とで変化させるほか、例えば、「済」又は「入場」、「一時退場」、「再入場」といった文字のスタンプをもとの電子チケット画像に追加することで変化させてもよい。
【００５６】
さらに、中継機１２は、発信端末１１との間で相互通信可能となるようにＵＳＢケーブル等の有線１３で接続したマイクロサーバを用いている。そこで、図６に示すように、中継機１２を廃止するとともにアクセス装置１０に管理端末２を含ませ、中継器１２で行っていたマイクロサーバ機能を管理端末２で兼用してもよい。
【００５７】
このように、本発明の電子認証システム１にあっては、購入済の電子チケット情報に基づく電子チケット画像を表示画面２１に表示するためのアプリケーションをインストールした携帯端末２０と、携帯端末２０に向けて通知信号を発信するとともに携帯端末２０から電子チケット情報を受信する送受信部を有する一つ以上のアクセス装置１０と、電子チケット情報及び及び前記一つ以上のアクセス装置にアクセスした携帯端末とを関連付けたアクセス識別情報を記憶部に記憶した管理端末２と、を備え、携帯端末２０は、通知信号を受信したことを契機として、アプリケーションを起動させて電子チケット画像を表示画面２１に表示するとともに、電子チケット情報をアクセス装置１０に向けて送信し、アクセス装置１０は、アクセス識別情報で関連付けした携帯端末２０から受信した電子チケット情報と管理端末２の記憶部に記憶した電子チケット情報とが適正である場合に、チケット画像の表示状態を変化させるための認可信号を携帯端末２０に向けて発信することにより、リアルタイムでの認証及び認可の対応を可能とすることができるとともに、短時間で大人数の認可処理を行うことができる。
【００５８】
本発明の電子認証システムは、リアルタイムでの認証及び認可の対応を可能とすることができるとともに、短時間で大人数の認可処理を行うことができるという効果を有し、コンサート等のイベントだけでなく、博物館等への入場チケットや公共交通機関を利用する場合の切符を電子チケット化するなど、電気通信回線を通じてユーザが購入した電子チケットを現場にて認証し、入場を認可する電子認証システム全般に適用することができる。
【符号の説明】
【００５９】
１  電子認証システム
２  管理端末
１０  アクセス装置
１１  発信端末
１２  中継機（マイクロサーバ）
１３  有線
１４  有線
２０  携帯端末
２１  表示画面
【図１】
2017027249.tif 000003
【図２】
2017027249.tif 000004
【図３】
2017027249.tif 000005
【図４】
2017027249.tif 000006
【図５】
2017027249.tif 000007
【図６】
2017027249.tif 000008